(57)【要約】【課題】段ボール箱に取り付けた無線タグの流通過程における破損を防止する。【解決手段】外周各面の側板１，２を連設し、その一端の継代片３を他端の側板２に貼り付けて周壁を形成した段ボール箱において、ＩＣタグ６を、継代片３の先端から段ボールの厚さの７倍以下の範囲に位置するように、継代片３が貼り付けられる側板２に取り付ける。このように、継代片３と側板２の重なり合いにより生じる段差に接近して、ＩＣタグ６を取り付けると、内容物等との接触からＩＣタグ６が保護され、データの読み取りや書き込みに際し、障害が生じにくくなる。【選択図】図１
2006151397.tif 000002
【特許請求の範囲】
【請求項１】
外周各面の側板を連設し、その一端の継代片を他端の側板に貼り付けて周壁を形成した段ボール箱において、無線タグを、継代片の先端から段ボールの厚さの７倍以下の範囲に位置するように、継代片が貼り付けられる側板に取り付けたことを特徴とする無線タグ付段ボール箱。
【請求項２】
外周各面の側板にフラップを連設し、隣接する側板から延びるフラップ同士を貼り合わせた段ボール箱において、無線タグを、一方のフラップの先端から段ボールの厚さの７倍以下の範囲に位置するように、他方のフラップに取り付けたことを特徴とする無線タグ付段ボール箱。
【請求項３】
外周各面の側板にフラップを連設し、隣接する側板から延びるフラップ同士を貼り合わせた段ボール箱において、無線タグを、一方のフラップに形成した貫窓から露出させ、貫窓の周縁から段ボールの厚さの７倍以下の範囲に位置するように、他方のフラップに取り付けたことを特徴とする無線タグ付段ボール箱。
【請求項４】
底壁の周囲各辺に周壁をなす側板を連設し、側板の上部から延びる巻込板を下方へ折り曲げたトレー式の段ボール箱において、無線タグを、短い巻込板の先端から露出する周壁の内面に取り付けたことを特徴とする無線タグ付段ボール箱。
【発明の詳細な説明】
【技術分野】
【０００１】
この発明は、非接触でデータの送受信が可能なＩＣタグ等の無線タグを取り付けた段ボール箱に関するものである。
【背景技術】
【０００２】
近年、物流管理の手段として、商品を収納する段ボール箱に非接触でデータの送受信が可能なＩＣタグを取り付けることが考えられている。このＩＣタグは、データを格納するＩＣチップと、通信用のアンテナとから構成され、ＩＣチップに記録したデータを、流通の各段階で読み取ることができるだけでなく、書き換えることもできる。
【発明の開示】
【発明が解決しようとする課題】
【０００３】
しかしながら、このような無線タグを段ボール箱の壁面に無造作に取り付けた場合、その取付位置によっては、内容物との接触や他の箱との接触によって無線タグが破損する恐れがあると考えられる。
【０００４】
そこで、この発明は、段ボール箱に取り付けた無線タグの流通過程における破損を防止することを課題とする。
【課題を解決するための手段】
【０００５】
上記課題を解決するため、この発明は、外周各面の側板を連設し、その一端の継代片を他端の側板に貼り付けて周壁を形成した段ボール箱において、無線タグを、継代片の先端から段ボールの厚さの７倍以下の範囲に位置するように、継代片が貼り付けられる側板に取り付けたのである。
【０００６】
また、外周各面の側板にフラップを連設し、隣接する側板から延びるフラップ同士を貼り合わせた段ボール箱において、無線タグを、一方のフラップの先端から段ボールの厚さの７倍以下の範囲に位置するように、他方のフラップに取り付けたのである。
【０００７】
また、この形式の段ボール箱において、無線タグを、一方のフラップに形成した貫窓から露出させ、貫窓の周縁から段ボールの厚さの７倍以下の範囲に位置するように、他方のフラップに取り付けたのである。
【０００８】
そのほか、底壁の周囲各辺に周壁をなす側板を連設し、側板の上部から延びる巻込板を下方へ折り曲げたトレー式の段ボール箱において、無線タグを、短い巻込板の先端から露出する周壁の内面に取り付けたのである。
【発明の効果】
【０００９】
このように、段ボールの重なり合いにより生じる段差に接近して、無線タグを取り付けると、無線タグの表面には、内容物や他の箱が触れにくくなるので、流通過程における無線タグの破損が防止され、データの読み取りや書き込みに際し、障害が生じにくくなる。
【発明を実施するための最良の形態】
【００１０】
まず、この発明の第１実施形態を図１及び図２に基づいて説明する。
【００１１】
図１に示すように、この段ボール箱は、通常の溝切り形のものであり、各一対の長面及び幅面の側板１，２を連設し、一端の側板１に連設した継代片３を、他端の側板２に貼り付けて周壁を形成し、側板２の下縁及び上縁から延びるフラップ４と、側板１の下縁及び上縁から延びるフラップ５とを閉じて、底面及び天面を閉止する構成とされている。
【００１２】
この段ボール箱において、継代片３が貼り付けられる側板２の内面には、ＩＣタグ６が取り付けられ、このＩＣタグ６は、図２（ａ）に示すように、継代片３の先端から段ボールの厚さの７倍以下の範囲ｓに位置している。
【００１３】
このように、継代片３と側板２の重なり合いにより生じる段差に接近して、ＩＣタグ６を取り付けると、内容物との接触からＩＣタグ６が保護され、データの読み取りや書き込みに際し、障害が生じにくくなる。
【００１４】
なお、図２（ｂ）に示すように、継代片３を側板２の外面に貼り付ける場合にも、ＩＣタグ６を、継代片３の先端から段ボールの厚さの７倍以下の範囲ｓに位置するように、側板２の外面に取り付けると、他の箱等との接触からＩＣタグ６が保護される。
【００１５】
次に、この発明の第２実施形態を図３及び図４に基づいて説明する。
【００１６】
図３に示すように、この段ボール箱もまた、通常の溝切り形のものであり、各一対の長面及び幅面の側板１，２を連設して周壁を形成し、側板２の下縁及び上縁から延びるフラップ４と、側板１の下縁及び上縁から延びるフラップ５とを閉じて、底面及び天面を閉止する構成とされている。
【００１７】
この段ボール箱において、天面の外側のフラップ５の内面には、ＩＣタグ６が取り付けられ、このＩＣタグ６は、図４に示すように、内側のフラップ４の先端から段ボールの厚さの７倍以下の範囲ｓに位置している。
【００１８】
このように、内外のフラップ４，５の重なり合いにより生じる段差に接近して、ＩＣタグ６を取り付けると、内容物との接触からＩＣタグ６が保護され、データの読み取りや書き込みに際し、障害が生じにくくなる。
【００１９】
なお、フラップ４，５の重なり合いを逆にして、ＩＣタグ６をフラップ５の外面に取り付ける場合にも、ＩＣタグ６をフラップ４の先端から上記範囲に位置させておくと、他の箱等との接触からＩＣタグ６が保護される。
【００２０】
次に、この発明の第３実施形態を図５及び図６に基づいて説明する。
【００２１】
図５に示すように、この段ボール箱もまた、通常の溝切り形のものであり、各一対の長面及び幅面の側板１，２を連設して周壁を形成し、側板２の下縁及び上縁から延びるフラップ４と、側板１の下縁及び上縁から延びるフラップ５とを閉じて、底面及び天面を閉止する構成とされている。
【００２２】
この段ボール箱において、天面の外側のフラップ５の内面には、ＩＣタグ６が取り付けられ、このＩＣタグ６は、図６に示すように、内側のフラップ４に形成した貫窓７から露出し、貫窓７の周縁から段ボールの厚さの７倍以下の範囲ｓに位置している。
【００２３】
このように、内外のフラップ４，５の重なり合いにより貫窓７の周縁に生じる段差に接近して、ＩＣタグ６を取り付けると、内容物との接触からＩＣタグ６が保護され、データの読み取りや書き込みに際し、障害が生じにくくなる。
【００２４】
なお、外側のフラップ５に貫窓７を設け、ＩＣタグ６を貫窓７から露出するように内側のフラップ４の外面に取り付ける場合にも、ＩＣタグ６を上記範囲に位置させておけば、他の箱等との接触からＩＣタグ６が保護される。
【００２５】
次に、この発明の第４実施形態を図７及び図８に基づいて説明する。
【００２６】
図７に示すように、この段ボール箱は、トレー式のものであり、底壁８の周囲各辺に周壁をなす各一対の側板９，１０を連設し、側板９，１０の上部から延びる巻込板１１，１２を下方へ折り曲げ、側板９の端部から延びる折曲片１３を側板１０と巻込板１２の間に挟み込んで保形する構成となっている。
【００２７】
この段ボール箱において、巻込板１２は、底壁８に達しない程度に短くなっており、巻込板１２の先端から側板１０及び折曲片１３が露出している。そして、折曲片１３の露出部分には、ＩＣタグ６が取り付けられている。
【００２８】
このように、巻込板１２と折曲片１３の重なり合いにより生じる段差に接近して、ＩＣタグ６を取り付けると、内容物との接触からＩＣタグ６が保護され、データの読み取りや書き込みに際し、障害が生じにくくなる。また、ＩＣタグ６を側板１０の内面の露出部分に取り付けても、同様の効果が得られる。
【００２９】
なお、この実施形態では、巻込板１２が折曲片１３又は側板１０から離れて、段差が大きくなっているので、ＩＣタグ６が巻込板１２の先端から段ボールの厚さの７倍以下の範囲に位置していなくても、上記と同様の効果を得ることができる。
【図面の簡単な説明】
【００３０】
【図１】この発明の第１実施形態に係るＩＣタグ付段ボール箱を示す斜視図
【図２】（ａ）同上のＩＣタグ取付部付近の拡大横断平面図、（ｂ）同上の他の例を示す拡大横断平面図
【図３】この発明の第２実施形態に係るＩＣタグ付段ボール箱を示す斜視図
【図４】同上のＩＣタグ取付部付近の拡大縦断側面図
【図５】この発明の第３実施形態に係るＩＣタグ付段ボール箱を示す斜視図
【図６】同上のＩＣタグ取付部付近の拡大縦断側面図
【図７】この発明の第４実施形態に係るＩＣタグ付段ボール箱を示す斜視図
【図８】同上のＩＣタグ取付部付近の拡大縦断側面図
【符号の説明】
【００３１】
１，２  側板
３  継代片
４，５  フラップ
６  ＩＣタグ
７  貫窓
８  底壁
９，１０  側板
１１，１２  巻込板
１３  折曲片
【図１】
2006151397.tif 000003
【図２】
2006151397.tif 000004
【図３】
2006151397.tif 000005
【図４】
2006151397.tif 000006
【図５】
2006151397.tif 000007
【図６】
2006151397.tif 000008
【図７】
2006151397.tif 000009
【図８】
2006151397.tif 000010